(57)【特許請求の範囲】
【請求項１】
洗い場床パンの下面部の浴槽側寄りの部位に浴槽側の縁に沿って複数の支持フレーム嵌め込み部を設けると共に下面部の少なくとも四隅付近に下方に向けて高さ調整自在な洗い場側脚を垂設し、上記洗い場床パンの洗い場側脚を床下基部に配置して該洗い場側脚を高さ調整することで洗い場床パンのレベル調整を行い、その後、上記洗い場床パンの下面部に設けた複数の支持フレーム嵌め込み部にそれぞれ一端部に高さ調整自在な浴槽側脚を下方に垂設した浴槽側支持フレームの他端部を嵌め込み、次に、浴槽側脚を高さ調整して各浴槽側支持フレームの高さ調整を行い、その後、複数の浴槽側支持フレーム間に複数の浴槽受けフレームを架設して取付け、その後、浴槽受けフレームに浴槽を設置することを特徴とする浴室における床パンと浴槽との設置方法。
【請求項２】
洗い場床パンの下面部に支持フレーム嵌め込み部となる支持金具を固着し、該支持金具に高さ調整自在な洗い場側脚の上端部を取付けることを特徴とする請求項１記載の浴室における床パンと浴槽との設置方法。
【発明の詳細な説明】
【技術分野】
【０００１】
本発明は、浴室における床パンと浴槽との設置方法に関するものである。
【背景技術】
【０００２】
浴室における床パンと浴槽との設置方法としては、例えば、特許文献１に示されるような設置方法が従来から採用されている。
【０００３】
図８には特許文献１に示される設置方法を概略的に説明するために作成した図面であり、長尺の浴槽側支持フレーム７’の下面部の長手方向の両端部にそれぞれ高さ調整自在な浴槽側脚６’を下方に垂設し、更に、浴槽側支持フレーム７’の上面部の長手方向の一端部に浴槽側連結部２１を形成し、上記浴槽側支持フレーム７’を２個平行に並べると共に、この一対の浴槽側支持フレーム７’間に一対の浴槽受けフレーム８’を架設して浴槽支持枠体１５を形成し、該浴槽支持枠体１５を建物内の浴室を形成しようとする空間におけるスラブのような床下基部５’に載置し、４本の浴槽側脚６’をそれぞれ高さ調整を行う。
【０００４】
次に、下面部の浴槽と反対側の部位に下方に向けて高さ調整自在な洗い場側脚４’を垂設した洗い場床パン１’を設置する。洗い場床パン１’の設置に当っては、大まかに洗い場側脚４’の高さ調整を行った後に、洗い場床パン１’の下面部の浴槽側の端部を上記浴槽支持枠体１５の浴槽側支持フレーム７’に載せると共に上記事前におおまかに高さ調整した洗い場側脚を床下基部５’に設置する。
【０００５】
次に、洗い場側脚４’を脱衣室床に合わせて高さ調整を行って洗い場床パン１’のレベル出しを行う。次に、上記脱衣室床に合わせて高さ調整した洗い場側脚４’により規定される洗い場床パン１’のレベルをみながら、浴槽支持枠体１５の４本の浴槽側脚６’の再度の高さ調整を行って、洗い場床パン１’、浴槽支持枠体１５のレベルが出ていることを確認した後、洗い場床パン１’の下面部に設けた洗い場側連結部２０を、浴槽支持枠体１５に設けた浴槽側連結部２１に連結するものであり、これにより洗い場床パン１’及び浴槽支持枠体１５を脱衣室床に合わせて所定の高さ位置となるようにレベル出しを行い、その後、浴槽支持枠体１５の浴槽受けフレーム８’に浴槽を設置するようにしている。
【０００６】
ところが、洗い場床パン１’の排水部に接続した排水トラップ１０’への排水管の接続は上記のように洗い場床パン１’を所定の高さ位置となるようにレベル出しをした後でなければ接続工事ができず、この場合、洗い場床パン１’が浴槽支持枠体１５に連結されているので、作業者が洗い場床パン１’の下方にもぐって作業する際に、浴槽支持枠体１５が邪魔になって作業がし難いという問題があった。
【０００７】
また、いったん浴槽支持枠体１５を床下基部５’に載置した際に４つの浴槽側脚６’の高さ調整をしてレベル出しをしたのち、洗い場床パン１’を設置して洗い場側脚４’を脱衣室床に合わせて高さ調整した後に、浴槽支持枠体１５の４つの浴槽側脚６’の再度の高さ調整をする必要があり、施工に手間がかかるという問題があった。
【特許文献１】特開２００４−１７６３２４号公報
【発明の開示】
【発明が解決しようとする課題】
【０００８】
本発明は上記の従来の問題点に鑑みて発明したものであって、施工が容易にでき、また、洗い場床パンの下面部に設けた排水トラップへの排水管の接続作業が容易にできる浴室における床パンと浴槽との設置方法を提供することを課題とするものである。
【課題を解決するための手段】
【０００９】
上記課題を解決するために本発明に係る浴室における床パンと浴槽との設置方法は、洗い場床パン１の下面部の浴槽２側寄りの部位に浴槽２側の縁に沿って複数の支持フレーム嵌め込み部３を設けると共に下面部の少なくとも四隅付近に下方に向けて高さ調整自在な洗い場側脚４を垂設し、上記洗い場床パン１の洗い場側脚４を床下基部５に配置して該洗い場側脚４を高さ調整することで洗い場床パン１のレベル調整を行い、その後、上記洗い場床パン１の下面部に設けた複数の支持フレーム嵌め込み部３にそれぞれ一端部に高さ調整自在な浴槽側脚６を下方に垂設した浴槽側支持フレーム７の他端部を嵌め込み、次に、浴槽側脚６を高さ調整して各浴槽側支持フレーム７の高さ調整を行い、その後、複数の浴槽側支持フレーム７間に複数の浴槽受けフレーム８を架設して取付け、その後、浴槽受けフレーム８に浴槽２を設置することを特徴とするものである。
【００１０】
上記のように、まず洗い場側脚４を床下基部５に配置して該洗い場側脚４を高さ調整することで洗い場床パン１のレベル調整を行い、その後、洗い場床パン１の下面部に設けた複数の支持フレーム嵌め込み部３にそれぞれ一端部に高さ調整自在な浴槽側脚６を下方に垂設した浴槽側支持フレーム７の他端部を嵌め込み、次に、浴槽側脚６を高さ調整して各浴槽側支持フレーム７の高さ調整を行うので、洗い場床パン１を脱衣室床１４に合わせて高さ調整を行った後、高さ調整済の洗い場床パン１に一端部を嵌め込んだ浴槽側支持フレーム７の他端の浴槽側脚６のみを高さ調整するだけで、簡単に浴槽受けフレーム８を架設する浴槽側支持フレーム７の高さ調整ができる。しかも、洗い場床パン１の下面部に設けた排水トラップへの排水管の接続に当っては、上記のように洗い場床パン１を脱衣室床１４に合わせて高さ調整を行って位置決めした後に、浴槽側支持フレーム７の一端部を支持フレーム嵌め込み部３に嵌め込む前に、浴槽側支持フレーム７や浴槽受けフレーム８がない状態で排水トラップへの排水管の接続作業をすることができ、浴槽側支持フレーム７や浴槽受けフレーム８に邪魔されることなく容易に洗い場床パン１の下方に潜り込んで作業できる。
【００１１】
また、洗い場床パン１の下面部に支持フレーム嵌め込み部３となる支持金具９を固着し、該支持金具９に高さ調整自在な洗い場側脚４の上端部を取付けることが好ましい。
【００１２】
このようにすることで、浴槽側支持フレーム７にかかる浴槽２の荷重を、浴槽側支持フレーム７の一端側においては浴槽側脚６で支持すると共に、他端側においては支持金具９に取付けた洗い場側脚４で支持することができ、浴槽２の支持が安定する。
【発明の効果】
【００１３】
本発明は、上記のように、洗い場床パンを脱衣室床に合わせて高さ調整を行った後、高さ調整済の洗い場床パンに浴槽側支持フレームの一端部を嵌め込んで他端の浴槽側脚のみを高さ調整するだけで、簡単に浴槽受けフレームを架設する浴槽側支持フレームの高さ調整ができ、高さ調整作業を容易に行うことができて、作業性が向上し、また、洗い場床パンの下面部に設けた排水トラップへの排水管の接続に当って、洗い場床パンを脱衣室床に合わせて高さ調整を行って位置決めした後、浴槽側支持フレームや浴槽受けフレームがない状態で排水トラップへの排水管の接続作業をすることができ、これにより浴槽側支持フレームや浴槽受けフレームに邪魔されることなく容易に洗い場床パンの下方に潜り込んで作業でき、この点でも作業が容易で施工性が向上する。
【発明を実施するための最良の形態】
【００１４】
以下、本発明を添付図面に示す実施形態に基いて説明する。
【００１５】
洗い場床パン１の下面部には図１に示すように下面部の浴槽２側寄りの部位に浴槽２側の縁に沿って複数（図の実施形態では２個）の支持フレーム嵌め込み部３が設けてあり、また、洗い場床パン１の下面部の少なくとも四隅付近にはそれぞれ高さ調整自在なアジャスターボルトよりなる洗い場側脚４が垂設してある。添付図面に示す実施形態では洗い場床パン１の下面部の少なくとも四隅付近にそれぞれ１個ずつ合計４個の洗い場側脚４が垂設してあるが、四隅付近に加えて下面部の他の部分にも更に洗い場側脚４を垂設してもよい。
【００１６】
また、添付図面に示す実施形態においては、洗い場床パン１の下面部の浴槽２側寄りの部位の浴槽２側の縁に沿った両端部付近に、洗い場床パン１の下面部に断面Ｕ字状又は断面ロ字状をした支持金具９を固着し、支持金具９の下面部に高さ調整自在な洗い場側脚４の上端部を取付けてあり、この断面Ｕ字状又は断面ロ字状の側方の開口が浴槽２側に向けて開口していて該支持金具９が支持フレーム嵌め込み部３を構成してある。
【００１７】
洗い場床パン１の浴槽２よりの部位には更に排水部１１が設けてあり、この排水部１１には洗い場床パン１の下面部側に排水トラップ（図示せず）が取付けられる。
【００１８】
浴槽側支持フレーム７は図３の想像線に示すように長手方向の一端部の下面部に高さ調整自在なアジャスターボルトよりなる浴槽側脚６が下方に向けて１本垂設してあり、該浴槽側支持フレーム７の長手方向の他端部は被嵌め込み部１６となっている。
【００１９】
上記のような構成の洗い場床パン１と、上記のような構成の複数（図の実施形態では２本）の浴槽側支持フレーム７と、後述の複数本（図の実施形態では２本）の浴槽受けフレーム８と、浴槽２とを用いて、浴室ユニットを形成しようとする建物の空間の床であるスラブのような床下基部５に洗い場床パン１と浴槽２とを設置するには以下のようにして行う。
【００２０】
まず、図２のように洗い場床パン１を床下基部５の所定位置に配置して、洗い場側脚４を床下基部５に設置する。この状態で、各洗い場側脚４の高さ調整して洗い場床パン１を脱衣室床１４に合わせるレベル出しを行う。このように、洗い場側脚４の高さ調整して洗い場床パン１を脱衣室床１４に合わせるレベル出しを行うことで、当該現場における洗い場床パン１の高さ調整は完了する。
【００２１】
次に、上記のように脱衣室床１４に合わせて洗い場床パン１のレベル出しを完了した後、浴槽側支持フレーム７を施工する前に、上記洗い場床パン１の排水部１１に取付ける排水トラップに排水管を接続する作業を行う（なお、上記洗い場床パン１の設置前に排水部１１に排水トラップを取付けておくのが好ましい）。この排水管の施工に当っては、洗い場床パン１の下方にもぐって作業する必要があるが、上記のように浴槽側支持フレーム７を施工する前であるため、浴槽側支持フレーム７や浴槽側支持フレーム７間に架設する後述の浴槽受けフレーム８に邪魔されることなく、洗い場床パン１の下方にもぐって排水トラップに排水管の接続作業ができるものである。
【００２２】
このように排水トラップへの排水管の接続作業をした後、図３、図４に示すように、洗い場床パン１の下面部に設けた複数の支持フレーム嵌め込み部３にそれぞれ、浴槽側支持フレーム７の他端部を上記洗い場床パン１の下面部に設けた浴槽側支持フレーム嵌め込み部３に嵌め込むと共に浴槽側支持フレーム７の一端部に垂設した高さ調整自在な浴槽側脚６を床下基部５に設置して各浴槽側支持フレーム７を倒れないように自立させる。なお、浴槽側支持フレーム７の他端部を浴槽側支持フレーム嵌め込み部３に嵌め込んだ状態で、ボルト１２により浴槽側支持フレーム７の他端部が浴槽側支持フレーム嵌め込み部３から抜けないように接続する。
【００２３】
次に、各浴槽側支持フレーム７の一端部に垂設した浴槽側脚６を高さ調整して各浴槽側支持フレーム７のレベル出しを行う。この場合、浴槽側支持フレーム７の他端部は既に高さ調整が完了してレベル出しが終わっている洗い場床パン１の浴槽側支持フレーム嵌め込み部３に嵌め込んであるため、浴槽側支持フレーム７の他端部のレベル出しは必要でなく、浴槽側支持フレーム７は一端部に垂設した浴槽側脚６のみを高さ調整して一端部のレベル出しを行うのみでよく、レベル出し作業が簡単且つ迅速に行える。なお、ボルト１２による浴槽側支持フレーム７の他端部が浴槽側支持フレーム嵌め込み部３から抜けないように接続するのは浴槽側支持フレーム７のレベル出しが終了してから行ってもよい。
【００２４】
上記のようにして各浴槽側支持フレーム７のレベル出しが終了した後、図５、図６に示すように、複数の浴槽側支持フレーム７間に複数の浴槽受けフレーム８を架け渡してボルト１３により連結し、複数の浴槽側支持フレーム７と複数の浴槽受けフレーム８とを枠組みすることで浴槽支持枠体１５を組み立て形成する。
【００２５】
浴槽受けフレーム８はレベル出しが完了した浴槽側支持フレーム７に架設するので、浴槽受けフレーム８は浴槽支持フレーム７に架設するのみで自動的にレベルが決まる。
【００２６】
上記のようにして、脱衣室床１４に合わせて洗い場床パン１のレベル出し、浴槽側支持フレーム７、浴槽受けフレーム８のレベル出しを行うと共に、洗い場床パン１と、浴槽側支持フレーム７と浴槽受けフレーム８とで枠組みした浴槽支持枠体１５とを連結した後、図７に示すように、浴槽支持枠体１５の浴槽受けフレーム８に浴槽２の下面部に設けた被支持部１６を嵌め込んで設置する。
【００２７】
本発明においては上記のように浴室において洗い場床パン１と浴槽２を設置するのであるが、既に述べたように、まず最初に、洗い場床パン１を脱衣室床１４のレベルに対応してレベル出しを行い、その後、洗い場床パン１の下面部に設けた複数の支持フレーム嵌め込み部３にそれぞれ一端部に高さ調整自在な浴槽側脚６を下方に垂設した浴槽側支持フレーム７の他端部を嵌め込み、次に、浴槽側脚６を高さ調整して各浴槽側支持フレーム７の高さ調整を行うので、洗い場床パン１を脱衣室床１４に合わせて高さ調整を行った後、高さ調整済の洗い場床パン１に一端部を嵌め込んだ浴槽側支持フレーム７の他端の浴槽側脚６のみを高さ調整するだけで、簡単に浴槽受けフレーム８を架設する浴槽側支持フレーム７の高さ調整ができることになり、レベル出し作業が簡単に行える。
【００２８】
また、洗い場床パン１の下面部に設けた排水トラップへの排水管の接続に当っては、洗い場床パン１を脱衣室床１４に合わせて高さ調整を行って位置決めした後に、浴槽側支持フレーム７の一端部を支持フレーム嵌め込み部３に嵌め込む前に、浴槽側支持フレーム７や浴槽受けフレーム８がない状態で洗い場床パン１の下にもぐり込んで排水トラップの排水管の接続作業をすることができる。したがって、浴槽側支持フレーム７や浴槽受けフレーム８に邪魔されることなく容易に洗い場床パン１の下方に潜り込んで作業できて、作業性が良くなる。
【００２９】
また、添付図面に示す実施形態のように、洗い場床パン１の下面部に支持フレーム嵌め込み部３となる支持金具９を固着し、この支持金具９に高さ調整自在な洗い場側脚４の上端部を取付けるので、浴槽側支持フレーム７にかかる浴槽２の荷重が、浴槽側支持フレームの一端側においては浴槽側脚６で支持すると共に、他端側においては支持金具９に取付けた洗い場側脚４で直接支持することができ、浴槽２の支持が安定し、また、浴槽２の荷重が洗い場床パン１に局部的にかかって洗い場床パン１が変形するというようなおそれがない。
【図面の簡単な説明】
【００３０】
【図１】本発明に用いる洗い場床パンの下方から見た斜視図である。
【図２】本発明の施工順序を示し、洗い場床パンを床下基部に設置してレベル出しをする状態の側面図である。
【図３】同上の施工順序を示し、洗い場床パンに設けた支持フレーム嵌め込み部に浴槽側支持フレームの他端部を嵌め込むと共に浴槽側脚を床下基部に設置してレベル出しをする状態の斜視図である。
【図４】同上の側面図である。
【図５】同上の施工状態を示し、浴槽側支持フレーム間に浴槽受けフレームを架設した状態の斜視図である。
【図６】同上の側面図である。
【図７】同上の施工状態を示し、浴槽受けフレームに浴槽を設置した状態の側面図である。
【図８】従来例を示す説明図である。
【符号の説明】
【００３１】
１  洗い場床パン
２  浴槽
３  支持フレーム嵌め込み部
４  洗い場側脚
５  床下基部
６  浴槽側脚
７  浴槽側支持フレーム
８  浴槽受けフレーム
９  支持金具
【図１】
0005001820.tif 000002
【図２】
0005001820.tif 000003
【図３】
0005001820.tif 000004
【図４】
0005001820.tif 000005
【図５】
0005001820.tif 000006
【図６】
0005001820.tif 000007
【図７】
0005001820.tif 000008
【図８】
0005001820.tif 000009